(57)【要約】【課題】１個の袋でも２個の袋でも自由にセットできる袋の吊り下げフレームを提供する。【解決手段】それぞれ互いに対向する一対の縦枠部１２と一対の横枠部１１で長方形の開口部１０Ａを画成する枠体１０と、前記一対の縦枠部１２に、ほぼその長さ一杯の幅をもってそれぞれ設けられた袋の開口縁部係止用の第１フック１３と、前記一対の横枠部１１の長手方向の中間部に、互いに対向するように設けられた袋の開口縁部係止用の第２フック１７と、前記一対の横枠部１１のうちの一方に設けられた、取付対象部材への枠体の取付手段（吸盤２０）と、を具備する。【選択図】図１
0003130029.tif 000002
【実用新案登録請求の範囲】
【請求項１】
それぞれ互いに対向する一対の縦枠部と一対の横枠部で長方形の開口部を画成する枠体と、
前記一対の縦枠部に、ほぼその長さ一杯の幅をもってそれぞれ設けられた袋の開口縁部係止用の第１フックと、
前記一対の横枠部の長手方向の中間部に、互いに対向するように設けられた袋の開口縁部係止用の第２フックと、
前記一対の横枠部のうちの一方に設けられた、取付対象部材への枠体の取付手段と、
を具備することを特徴とする袋の吊り下げフレーム。
【請求項２】
請求項１に記載の袋の吊り下げフレームであって、
前記第１フックが、前記縦枠部の上縁より水平方向外方に突出した突片よりなり、その第１フックの幅方向の両側に、袋の開口縁部の一部を挿入するためのスリットが形成されていることを特徴とする袋の吊り下げフレーム。
【請求項３】
請求項１または２に記載の袋の吊り下げフレームであって、
前記第２フックが、前記横枠部の内側面より内方に突き出した後に上方へＬ形に折れ曲がり、その上端に、前記枠体の内部から見てＴ字形をなしたＴ字形状部を有したものであることを特徴とする袋の吊り下げフレーム。
【考案の詳細な説明】
【技術分野】
【０００１】
本考案は、ポリ袋などを引っ掛けて吊り下げることにより、ごみストッカー等として利用できるようにする、袋の吊り下げフレーム（袋ハンガーとも呼ばれる）に関する。
【背景技術】
【０００２】
特許文献１に、長方形状の開口部を上面に有するごみ容器の互いに対向する開口縁部に複数のスリットを形成し、それらスリットにごみ袋（ポリ袋）の一対の取っ手を引っ掛けることにより、ごみ容器の内部に、投入口を開いた状態でごみ袋を収容する技術が開示されている。
【０００３】
【特許文献１】特開平８−１９２９０１号公報
【考案の開示】
【考案が解決しようとする課題】
【０００４】
ところが、特許文献１の技術は、１個のごみ袋をセットするのには適するものの、複数のごみ袋をセットするのには適さず、従ってごみの分別収集には適さないものであった。
【０００５】
本考案は、上記事情を考慮し、１個の袋でも２個の袋でも自由にセットできる袋の吊り下げフレームを提供することを目的とする。
【課題を解決するための手段】
【０００６】
請求項１の考案の袋の吊り下げフレームは、それぞれ互いに対向する一対の縦枠部と一対の横枠部で長方形の開口部を画成する枠体と、前記一対の縦枠部に、ほぼその長さ一杯の幅をもってそれぞれ設けられた袋の開口縁部係止用の第１フックと、前記一対の横枠部の長手方向の中間部に、互いに対向するように設けられた袋の開口縁部係止用の第２フックと、前記一対の横枠部のうちの一方に設けられた、取付対象部材への枠体の取付手段と、を具備することを特徴とする。
【０００７】
請求項２の考案は、請求項１に記載の袋の吊り下げフレームであって、前記第１フックが、前記縦枠部の上縁より水平方向外方に突出した突片よりなり、その第１フックの幅方向の両側に、袋の開口縁部の一部を挿入するためのスリットが形成されていることを特徴とする。
【０００８】
請求項３の考案は、請求項１または２に記載の袋の吊り下げフレームであって、  前記第２フックが、前記横枠部の内側面より内方に突き出した後に上方へＬ形に折れ曲がり、その上端に、前記枠体の内部から見てＴ字形をなしたＴ字形状部を有したものであることを特徴とする。
【考案の効果】
【０００９】
請求項１の考案によれば、例えば、ポリ袋の開口縁に延設された一対のループ状の取っ手を、左右の第１フックにそれぞれ引っ掛けることにより、１個のポリ袋を、入口を開いた状態で枠体にセットすることができる。また、２個のポリ袋の各開口縁に延設された一対のループ状の取っ手のうち、それぞれ一方の取っ手を第１フックに引っ掛け、他方の取っ手を第２フックに引っ掛けることにより、２個のポリ袋を、それぞれ入口を開いた状態で枠体にセットすることができる。従って、ポリ袋を１個でも２個でもセットすることができ、ごみストッカー等として利用することができる。特に２個のポリ袋をセットした場合は、隣接するポリ袋の開口縁部が仕切りとなるので、ごみの分別収集ができるようになる。また、取付手段として吸盤や永久磁石を使用すれば、冷蔵庫やシンクの扉に、ポリ袋を吊り下げた状態の枠体を簡単に取り付けることができるので、ごみやその他の物品のストッカーとして有効利用することができる。
【００１０】
請求項２の考案によれば、第１フックが、縦枠部の上縁より水平方向外方に突出した突片よりなり、その第１フックの幅方法の両側に、袋の開口縁部の一部を挿入するためのスリットが形成されているので、ポリ袋をずれないように確実に止めておくことができる。
【００１１】
請求項３の考案によれば、横枠部の中間に設けられた第２フックが、上方へＬ字形に折れ曲がった上で、上端がＴ字形に形成されたものであるから、ポリ袋の取っ手をずれないように確実に止めておくことができる。
【考案を実施するための最良の形態】
【００１２】
以下、本考案の実施形態を図面を参照しながら説明する。
図１は本考案の実施形態の袋の吊り下げフレームの構成を示す図で、（ａ）は上から見た斜視図、（ｂ）は下から見た斜視図、図２はその吊り下げフレームに１個のポリ袋をセットした状態を示す斜視図、図３はその吊り下げフレームに２個のポリ袋をセットした状態を示す斜視図である。
【００１３】
この吊り下げフレームは、射出成形品よりなる長方形状の枠体１０と、シンクや冷蔵庫の扉などの取付対象部材への取付手段として設けられた吸盤２０と、から構成されている。
【００１４】
枠体１０は、それぞれ互いに対向する一対の横枠部（長い方の辺部）１１と、一対の縦枠部（短い方の辺部）１２とで、長方形の開口部１０Ａを画成したものである。横枠部１１と縦枠部１２は共に縦長の長方形断面を有しており、一対の縦枠部１２には、ほぼその長さ一杯の幅をもって第１フック１３がそれぞれ設けられている。また、一対の横枠部１１の長手方向の中間部には、互いに対向するように第２フック１７が設けられている。これら第１フック１３および第２フック１７は、ポリ袋１００の開口縁部を係止するための部分である。
【００１５】
ここで、縦枠部１２に設けた第１フック１３は、縦枠部１２の上縁より水平方向外方に突出した幅広の突片により構成され、その第１フック１３の幅方向の両側には、ポリ袋１００の開口縁部の一部を挿入するためのスリット１４が形成されている。また、第１フック１３としての突片の先端縁に近い位置の下面には、ポリ袋１００の取っ手１０２を第１フック１３に引っ掛けた際に、抜け止め作用を発揮する微小突起１５が設けられている。
【００１６】
また、横枠部１１に設けた第２フック１７は、横枠部１１の内側面より内方に突き出した後に上方へＬ形に折れ曲がり、その上端に、枠体１０の内部から見てＴ字形をなしたＴ字形状部１７ａを有するものである。
【００１７】
そして、このように構成された枠体１０の一方の横枠部１１の外側に、取付手段としての吸盤２０が、自身のアンカー部２１を横枠部１１側に形成した係止孔１６に係合させることにより取り付けられている。
【００１８】
次に作用を説明する。
１個のポリ袋を吊り下げる場合は、図２に示すように、ポリ袋１００の開口縁に延設された一対のループ状の取っ手１０２を、左右の第１フック１３にそれぞれ引っ掛けてスリット１４に挿入することにより、ポリ袋１００を、入口を開いた状態で枠体１０にセットすることができる。
【００１９】
また、２個のポリ袋を吊り下げる場合は、図３に示すように、各ポリ袋１００の開口縁部に延設された一対のループ状の取っ手１０２のうち、それぞれ一方の取っ手１０２を第１フック１３に引っ掛け、他方の取っ手１０２を第２フック１７に引っ掛けることにより、２個のポリ袋１００を、それぞれ入口を開いた状態で枠体１０にセットすることができる。
【００２０】
従って、ポリ袋１００を１個でも２個でもセットすることができ、特に図３に示すように、２個のポリ袋１００をセットした場合は、隣接するポリ袋１００の開口縁部が仕切りとなるので、ごみの分別収集ができるようになる。また、吸盤２０を冷蔵庫やシンクの扉の表面に吸着させることにより、ポリ袋１００を吊り下げた状態の枠体１００を簡単に扉に取り付けることができるので、ごみやその他の物品のストッカーとして有効利用することができる。
【００２１】
また、上記のような使用時に、第１フック１３は、縦枠部１２の上縁より水平方向外方に突出した突片で構成され、その第１フック１３の幅方法の両側にスリット１４が形成されているので、ポリ袋１００をずれないように確実に止めておくことができる。また、第２フック１７は、上方へＬ字形に折り曲げた上で、上端をＴ字形に形成してあるので、ポリ袋１００の取っ手１０２をずれないように確実に止めておくことができる。
【００２２】
なお、上記実施形態では、取付手段として吸盤を用いているが、取付対象部材に応じて永久磁石を用いてもよいし、フック形状の取付手段を設けてもよい。
【００２３】
また、袋としては、買い物を入れるための取っ手１０２の付いたポリ袋１００を使用するのが一番よいが、それ以外の袋を使用してもよい。
【図面の簡単な説明】
【００２４】
【図１】本考案の実施形態の袋の吊り下げフレームの構成を示す図で、（ａ）は上から見た斜視図、（ｂ）は下から見た斜視図である。
【図２】前記吊り下げフレームに１個のポリ袋をセットした状態を示す斜視図である。
【図３】前記吊り下げフレームに２個のポリ袋をセットした状態を示す斜視図である。
【符号の説明】
【００２５】
１０  枠体
１１  横枠部
１２  縦枠部
１３  第１フック
１４  スリット
１７  第２フック
１７ａ  Ｔ字形状部
２０  吸盤（取付手段）
１００  ポリ袋
１０２  取っ手
【図１】
0003130029.tif 000003
【図２】
0003130029.tif 000004
【図３】
0003130029.tif 000005